(57)【要約】【課題】十分に手袋の整形維持をより確実に行うことができ、構成が簡易であり、立体型の手袋及び平面型の手袋の両方で、手袋の親指挿入部へスムーズに挿入することができ、右手用の手袋と左手用の手袋のどちらに挿入する場合でも、挿入前に事前の準備が必要ない手袋の整形具を提供すること。【解決手段】手袋の整形具１は、人差し指挿入片２２、中指挿入片２３、薬指挿入片２４及び小指挿入片２５を備える本体２と、親指挿入片３１を有する独立体３で構成された一対の整形具よりなる。【選択図】  図１
2020081688.tif 000002
【特許請求の範囲】
【請求項１】
人差し指挿入片、中指挿入片、薬指挿入片及び小指挿入片を備える本体と、親指挿入片を有する独立体で構成された一対の整形具よりなることを特徴とする手袋の整形具。
【請求項２】
前記本体と前記独立体は、同等の肉厚に形成されていることを特徴とする請求項１に記載の手袋の整形具。
【請求項３】
前記本体及び前記独立体は、吸水性材料から成形されていることを特徴とする請求項１又は２に記載の手袋の整形具。
【請求項４】
前記吸水性材料は、珪藻土が主原料であることを特徴とする請求項３に記載の手袋の整形具。
【請求項５】
前記本体及び前記独立体は、各指挿入片とは反対側の端近傍に貫通孔が形成されていることを特徴とする請求項１から４のいずれかに記載の手袋の整形具。
【請求項６】
本体は、手の甲・平部の先方に、人差し指挿入片、中指挿入片、薬指挿入片及び小指挿入片の各指部を備え、前記手の甲・平部の他方には同一幅で延伸した支持部を備えることを特徴とする請求項１から５のいずれかに記載の手袋の整形具。
【請求項７】
本体は、手の甲・平部と各指挿入片とに跨って骨材が埋設されていることを特徴とする請求項６に記載の手袋の整形具。
【請求項８】
独立体は、支持部の先方に、屈折した状態で一体に形成されている親指挿入片を備えることを特徴とする請求項１から７のいずれかに記載の手袋の整形具。
【発明の詳細な説明】
【技術分野】
【０００１】
本発明は手袋の内部を乾燥させるために使用する手袋の整形具に関するものである。
【背景技術】
【０００２】
手袋の使用に際し、雨雪や汗により内外面が濡れ又は湿ることがある。濡れたまま放置すると、汗等の水分を吸収して手袋が硬化、変形する。この手袋の硬化及び変形によって、次の使用するときに手を手袋に入れることが困難となり、手袋装着後も不快感が生じる。
【０００３】
そこで、汗等で濡れた手袋を干したり、洗濯して乾燥させるため手袋を単に吊下げたり、棒状体に手袋を差し込む等の方法を採っている。
【０００４】
しかし、手袋を単に吊下げ等した状態のまま乾いてしまうことにより、手袋が変形してしまうことや、棒状体に差し込んでも手袋内の通気性が悪いため乾くまでに長時間を要することがある。
【０００５】
特開２００５−１６０９６６号公報では、手袋の掌部を支持する支持プレートと、手袋の人差し指挿入部を支持する人差し指支持片と、手袋の中指挿入部を支持する中指支持片と、手袋の薬指挿入部を支持する薬指支持片と、手袋の小指挿入部を支持する小指支持片とを備え、これら人差し指支持片、中指支持片、薬指支持片、小指支持片は、支持プレートに着脱可能に取り付けられるとともに、手袋の親指挿入部を支持する親指支持片が、人差し指支持片に着脱可能に取り付けられ、コンパクトに収納することができるとともに、手袋の形を保持し、濡れた手袋を好適に乾燥できるようにしている。
【０００６】
また、実開平５−４８９７９号公報では、補強兼通風段部となるリブを設けた人差し指、中指、薬指、小指の４本の指用保型片を突設した手の平部を備えた平板状の保型具本体と親指保型片を前記手の平部の下端中央の支持ピンにスライド溝をもって嵌合し、左右回動自在に取付けた構成としたことにより、各保型片に手袋の人差し指挿入部、中指挿入部、薬指挿入部、小指挿入部を差し込むと共に、親指挿入部に親指保型片を斜め方向から差し込むだけで、簡単にセットでき、手袋内への通風が自在となると共に、親指保型片の突設角度を変えることによりサイズの異なる手袋にも自在に対処できるようにしている。
【先行技術文献】
【特許文献】
【０００７】
【特許文献１】特開２００５-１６０９６６号公報
【特許文献２】実開平５−４８９７９号公報
【発明の概要】
【発明が解決しようとする課題】
【０００８】
上記従来の発明の目的は、手袋の整形と維持を行うこと、膨らませた内部へ通風を確保して乾躁を促進すること、指片を本体と着脱可能にして収納のコンパクト化と組立を容易とすること等である。
【０００９】
しかし、内部面と指片との接触面積を出来るだけ小さくすると手袋の変形を十分に抑制することができないという問題がある。
【００１０】
また、指片と本体との着脱可能とすると、構成が複雑化するという問題も生じる。
【００１１】
さらに、手袋は、革手袋のように手袋の親指挿入部が他の４本の指と異なる方向に立体的に伸びる立体型と、軍手のように全ての指が略同一平面上ある平面型とがある。
【００１２】
立体型の手袋の形状を維持するためには、整形具が手袋に挿入された状態で、親指片の位置及び角度が他の指片と異なるようになっている必要がある。
【００１３】
平面型の手袋においても、手袋の親指挿入部が伸びる方向は、略同一平面上であるとしても、手袋の他の４本の指挿入部の伸びる方向と大きく異なる場合がある。平面型の手袋の形状を維持するためには、整形具が手袋に挿入された状態で、親指片の位置及び角度が他の指片と異なるようになっている必要がある。
【００１４】
手袋の親指挿入部へ整形具の親指片を挿入する方向と、手袋の他の指挿入部へ整形具の他の指片を挿入する方向が異なっている。そのため、本体と各指片が一体的な構成となった状態で手袋に挿入する場合、手袋の整形具を手袋へスムーズに挿入できないという問題がある。
【００１５】
また、立体型の手袋に合わせて親指片の位置及び角度を設定すると、平面型の手袋の親指部への挿入がスムーズに行えないという問題もある。
【００１６】
さらに、整形具を右手用の手袋と左手用の手袋に挿入する場合、本体と各指片が一体的な構成となった整形具において、親指への挿入する挿入片を動かしておく等の挿入前の事前準備があるという問題もある。
【００１７】
そこで、本発明は、十分に手袋の整形維持をより確実に行うことができ、構成が簡易であり、立体型の手袋及び平面型の手袋の両方で、手袋の親指挿入部へスムーズに挿入することができ、右手用の手袋と左手用の手袋のどちらに挿入する場合でも、挿入前に事前の準備が必要ない手袋の整形具を提供することを目的とする。
【課題を解決するための手段】
【００１８】
上記課題を解決するため、請求項１の手袋の整形具は、人差し指挿入片、中指挿入片、薬指挿入片及び小指挿入片を備える本体と、親指挿入片を有する独立体で構成された一対の整形具よりなる。
【００１９】
請求項１の手袋の整形具は、人差し指挿入片、中指挿入片、薬指挿入片及び小指挿入片を備える本体、及び、親指挿入片を有する独立体を互いに干渉や影響を受けずに手袋にそれぞれ挿入できる。
【００２０】
請求項１の手袋の整形具は、本体をひっくり返すだけで、右手用の手袋と左手用の手袋のどちらにも、手袋の親指以外の指挿入部に容易に挿入できる。独立体は、本体とは独立している。この独立体もひっくり返すだけで、右手用の手袋と左手用の手袋のどちらにも、手袋の親指挿入部に容易に挿入できる。
【００２１】
請求項２の手袋の整形具は、請求項１の手袋の整形具において、前記本体と前記独立体が同等の肉厚に形成されている。
【００２２】
請求項２の手袋の整形具は、請求項１と同様の作用を有する上に、本体は肉厚に形成されているので、挿入された手袋の各内部面と接触した状態となり、手袋を整形維持することができる。
【００２３】
また、本体と独立体は同等の肉厚となっていることで、手袋から取り出した後に本体と独立体を並べて平らに置けるなど、制限があるスペースでの収容性を向上させることができる。
【００２４】
請求項３の手袋の整形具は、請求項１又は２の手袋の整形具において、前記本体及び前記独立体が吸水性材料から成形されている。
【００２５】
請求項３の手袋の整形具は、請求項１又は２と同様の作用を有する上に、挿入された手袋の各内部面の水分を吸水、又は、手袋内部の吸湿を行って、手袋の乾燥を早めることができる。膨らませた手袋の内部へ通風を確保しても乾燥しにくい手袋の指部を確実に乾燥させることができる。
【００２６】
請求項４の手袋の整形具は、請求項３の手袋の整形具において、吸水性材料が珪藻土が主原料である。
【００２７】
請求項４の手袋の整形具は、請求項３と同様の作用を有する上に、手袋の各内部の脱臭もすることができる。また、使用後は手袋の整形具を乾すことによって、吸水・吸湿能力を回復させることができる。
【００２８】
請求項５の手袋の整形具は、請求項１から４のいずれかの手袋の整形具において、本体及び独立体が指挿入片とは反対側の端近傍に貫通孔が形成されている。
【００２９】
請求項５の手袋の整形具は、請求項１から４のいずれかと同様の作用を有する上に、貫通孔を壁のフック等に引掛けることによって、手袋の整形具を吊るすことができる。
【００３０】
請求項６の手袋の整形具は、請求項１から５のいずれかの手袋の整形具において、本体が、手の甲・平部の先方に、人差し指挿入片、中指挿入片、薬指挿入片及び小指挿入片の各指挿入片を備え、前記手の甲・平部の他方には同一幅で延伸した支持部を備える。
【００３１】
請求項６の手袋の整形具は、請求項１から５のいずれかと同様の作用を有する上に、人指し指挿入片及び小指挿入片の外側端から一直線上に手の甲・平部及び支持部の側端が形成されているため、手袋の各指部へスムーズに挿入可能できる。
【００３２】
請求項７の手袋の整形具の発明は、請求項６の発明において、手の甲・平部と各指挿入片とに跨って骨材が埋設されている。
【００３３】
請求項７の手袋の整形具は、請求項６と同様の作用を有する上に、衝撃等によって、各指挿入片が手の甲・平部と分裂するような損壊を抑制することができる。
【００３４】
請求項８の手袋の整形具の発明は、請求項１から７のいずれかの発明において、独立体が、支持部の先方に、屈折した状態で一体に形成されている親指挿入片を備える。
【００３５】
請求項８の手袋の整形具は、請求項１から７と同様の作用を有する上に、手袋の親指挿入部の伸びる方向に合わせて、本体を手袋にそれぞれ挿入できる。
【発明の効果】
【００３６】
請求項１から８の手袋の整形具は、十分に手袋の整形維持をより確実に行うことができ、構成が簡易であり、立体型の手袋及び平面型の手袋の両方で、手袋の親指挿入部へスムーズに挿入することができ、右手用の手袋と左手用の手袋のどちらに挿入する場合でも、挿入前に事前の準備が必要ない。
【図面の簡単な説明】
【００３７】
【図１】本発明に係る手袋の整形具の平面図である。
【図２】図１の手袋の整形具を、立体型の手袋に挿入した状態を示す斜視図である。
【図３】図１の手袋の整形具を、立体型の手袋に挿入した状態を示す斜視図である。
【図４】図１の手袋の整形具を、平面型の手袋に挿入した状態を示す斜視図である。
【発明を実施するための形態】
【００３８】
以下、本発明の一実施形態の整形具１について説明する。
【００３９】
整形具１は、図１に示すように、一対の本体２と独立体３で構成される。本体２は、人差し指挿入片２２、中指挿入片２３、薬指挿入片２４及び小指挿入片２５を備える。
【００４０】
本体２及び独立体３は、同等の肉厚に形成されている。
【００４１】
本体２及び独立体３が吸水性材料から成形されている。この吸水性材料は、珪藻土が主原料である。これにより、本体２及び独立体３は手袋の乾燥具の役割も果たす。
【００４２】
本体２は、各指挿入片とは反対側の端近傍に貫通孔２７が形成されている。独立体３は、親指挿入片とは反対側の端近傍に貫通孔３３が形成されている。
【００４３】
本体２は、手の甲・平部２１の先方に、人差し指挿入片２２、中指挿入片２３、薬指挿入片２４及び小指挿入片２５の各指挿入片が延設されている。
【００４４】
本体２は、手の甲・平部２１の他方に、同一幅で延伸した支持部２６が形成されている。
【００４５】
すなわち、人指し指挿入片２２及び小指挿入片２５の外側端から一直線上に手の甲・平部２１及び支持部２６の側端が形成されている。そのため、手袋の各指部へ容易に挿入可能となっている。
【００４６】
本体２は、手の甲・平部２１と各指挿入片２２〜２５とに跨って骨材２８が埋設されている。
【００４７】
独立体３は、親指挿入片３１と支持部３２が屈折した状態で一体に形成されている。
【００４８】
図２は、独立体３が本体２に載るように立体型の手袋１１に挿入した状態を示す。
【００４９】
図３は、独立体３の親指挿入片３１が本体２から遠ざかるように、立体型の手袋１１に挿入した状態を示す
【００５０】
図４は、本体２と独立体３が手袋内で並んで配置するように、平面型の手袋１２に挿入した状態を示す。
【００５１】
手袋１１，１２への挿入順序は、本体２及び独立体３のどちらが先であってもよい。
【００５２】
上記実施形態では、本体２及び独立体３が吸水性材料から成形されている場合について説明したが、これに限定されることはない。本体２及び独立体３は、樹脂製又は木製或いは柔らかい金属製といった本体及び独立体の形状を維持できる材料から成形されていてもよい。
【００５３】
上記実施形態では、吸水性材料は、珪藻土が主原料である場合について説明したが、これに限定されることはない。吸水性材料は、木材等の吸水性を有する材料が主原料であってもよい。
【符号の説明】
【００５４】
１  整形具
２  本体
３  独立体
１１  立体型の手袋
１２  平面型の手袋
２１  手の甲・平部
２２  人差し指挿入片
２３  中指挿入片
２４  薬指挿入片
２５  小指挿入片
２６  支持部
２７  貫通孔
２８  骨材
３１  親指挿入片
３２  支持部
３３  貫通孔
【図１】
2020081688.tif 000003
【図２】
2020081688.tif 000004
【図３】
2020081688.tif 000005
【図４】
2020081688.tif 000006